Podtech/llm-jp-corpus-v4-ja_patent huggingface dataset:
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
発熱素子を有し、前記発熱素子に通電を行うことにより被印刷媒体に印刷を行うサーマルヘッドと、
制御回路と、
を備え、
前記制御回路は、
第１画像に対応する複数の第１印刷ドットにおける、前記第１画像の輪郭部分を除く領域における少なくとも１つの前記第１印刷ドットを前記サーマルヘッドにより形成するための第１印刷ドットデータを、前記第１印刷ドットを印刷するために前記発熱素子に通電を行う第１通電時間より短い第２通電時間で前記サーマルヘッドにより印刷される第２印刷ドットを形成するための第２印刷ドットデータに変換する、
ことを特徴とする印刷装置。
【請求項２】
請求項１に記載の印刷装置において、
前記制御回路は、
前記第１画像に対応する第１印刷データにおける前記複数の第１印刷ドットに対応する複数の前記第１印刷ドットデータの各々を、該各第１印刷ドットデータに設定されている前記通電時間を複数の前記分割通電時間に分割することにより、複数に分割した分割データを生成し、
前記分割データにおける前記分割した前記複数の第１印刷ドットデータの一部を間引くことにより、前記第１印刷ドットデータを前記第２印刷ドットデータに変換した第２印刷データを生成する、
ことを特徴とする印刷装置。
【請求項３】
請求項２に記載の印刷装置において、
前記制御回路は、
少なくとも前記第１印刷データに基づいて、前記輪郭部分を特定する、
ことを特徴とする印刷装置。
【請求項４】
請求項２又は請求項３に記載の印刷装置において、
前記制御回路は、
前記第１印刷データに基づいて、予備加熱データを生成し、
前記予備加熱データと前記分割データとに基づいて、前記第２印刷データを生成する、
ことを特徴とする印刷装置。
【請求項５】
請求項２乃至４のいずれか１項に記載の印刷装置において、
前記制御回路は、前記第１印刷データを、前記第１印刷データよりも前記被印刷媒体の搬送方向に高い解像度を有する前記第２印刷データに変換する、
ことを特徴とする印刷装置。
【請求項６】
請求項５に記載の印刷装置において、
前記制御回路は、前記第１印刷データを、前記第１画像の輪郭部分に囲まれている内側部分の一部が間引かれた第２画像を示す前記第２印刷データに変換する、
ことを特徴とする印刷装置。
【請求項７】
印刷装置と印刷制御装置とを備える印刷システムであって、
前記印刷装置は、
発熱素子を有し、前記発熱素子に通電を行うことにより被印刷媒体に印刷を行うサーマルヘッドと、
制御回路と、を備え、
前記印刷制御装置は、
第１画像に対応する複数の第１印刷ドットにおける、前記第１画像の輪郭部分を除く領域における少なくとも１つの前記第１印刷ドットを前記サーマルヘッドにより形成するための第１印刷ドットデータを、前記第１印刷ドットを印刷するために前記発熱素子に通電を行う第１通電時間より短い第２通電時間で前記サーマルヘッドにより印刷される第２印刷ドットを形成するための第２印刷ドットデータに変換し、
前記第２印刷ドットデータを前記印刷装置へ出力し、
前記制御回路は、
前記第２印刷ドットデータに従って前記印刷を行うように前記サーマルヘッドを制御する、
ことを特徴とする印刷システム。
【請求項８】
第１画像に対応する複数の第１印刷ドットにおける、前記第１画像の輪郭部分を除く領域における少なくとも１つの前記第１印刷ドットをサーマルヘッドにより形成するための第１印刷ドットデータを、前記第１印刷ドットを印刷するために前記サーマルヘッドの発熱素子に通電を行う第１通電時間より短い第２通電時間で前記サーマルヘッドにより印刷される第２印刷ドットを形成するための第２印刷ドットデータに変換し、
前記第２印刷ドットデータに従って前記発熱素子に通電を行うことにより被印刷媒体に印刷を行うように、前記サーマルヘッドを制御する
ことを特徴とする印刷制御方法。
【請求項９】
サーマルヘッドを有する印刷装置が備えるコンピュータに、
第１画像に対応する複数の第１印刷ドットにおける、前記第１画像の輪郭部分を除く領域における少なくとも１つの前記第１印刷ドットを前記サーマルヘッドにより形成するための第１印刷ドットデータを、前記第１印刷ドットを印刷するために前記サーマルヘッドの発熱素子に通電を行う第１通電時間より短い第２通電時間で前記サーマルヘッドにより印刷される第２印刷ドットを形成するための第２印刷ドットデータに変換し、
前記第２印刷ドットデータに従って前記発熱素子に通電を行うことにより被印刷媒体に印刷を行うように、前記サーマルヘッドを制御する
処理を実行させることを特徴とするプログラム。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
通常よりも遊技者に有利な有利遊技状態になることがある遊技機であって、
画像を表示可能な画像表示部と、
作動可能な可動部と、
所定の演出を実行することが可能な演出制御手段と、を備え、
前記演出制御手段は、
前記画像表示部において、前記有利遊技状態になる期待度を所定の画像の色で示唆する画像色示唆演出を実行すると共に、前記可動部を作動させる可動演出を実行することがあり、
前記画像色示唆演出が終了した後、演出に係る所定の分岐点にて、第１示唆演出、または、前記第１示唆演出よりも前記有利遊技状態になる期待度が高いことを示唆する第２示唆演出に分岐させて実行することがあり、
前記画像色示唆演出が終了した後も前記可動演出を継続して実行させ、前記分岐点の到来を契機に当該可動演出を終了させることを特徴とする遊技機。
【手続補正２】
【補正対象書類名】明細書
【補正対象項目名】０００７
【補正方法】変更
【補正の内容】
【０００７】
本発明の遊技機は、上記課題を解決するために、
通常よりも遊技者に有利な有利遊技状態になることがある遊技機であって、
画像を表示可能な画像表示部と、
作動可能な可動部と、
所定の演出を実行することが可能な演出制御手段と、を備え、
前記演出制御手段は、
前記画像表示部において、前記有利遊技状態になる期待度を所定の画像の色で示唆する画像色示唆演出を実行すると共に、前記可動部を作動させる可動演出を実行することがあり、
前記画像色示唆演出が終了した後、演出に係る所定の分岐点にて、第１示唆演出、または、前記第１示唆演出よりも前記有利遊技状態になる期待度が高いことを示唆する第２示唆演出に分岐させて実行することがあり、
前記画像色示唆演出が終了した後も前記可動演出を継続して実行させ、前記分岐点の到来を契機に当該可動演出を終了させることを特徴とする。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
演出画像を表示可能な表示手段と、
前記表示手段の前面側に出現可能であり、出現することで所定の装飾が完成される第１演出用可動体と、
前記第１演出用可動体よりも後方側で移動可能な第２演出用可動体と、を備え、
前記第２演出用可動体には、前方に向けて発光可能な発光部が設けられ、
前記第１演出用可動体が前記表示手段の前面側に出現し、続いて前記第２演出用可動体が、前記表示手段の前面側に出現した前記第１演出用可動体の後方に重なるように移動して前記発光部が前記第１演出用可動体の内部を通して遊技者が視認可能に発光するときと、前記第１演出用可動体が前記表示手段の前面側に出現し、続いて前記第２演出用可動体が、前記表示手段の前面側に出現した前記第１演出用可動体の後方に重なるように移動しないときとがあることを特徴とする遊技機。 
【手続補正２】
【補正対象書類名】明細書
【補正対象項目名】０００７
【補正方法】変更
【補正の内容】
【０００７】
本発明の遊技機は、上記課題を解決するために、
演出画像を表示可能な表示手段と、
前記表示手段の前面側に出現可能であり、出現することで所定の装飾が完成される第１演出用可動体と、
前記第１演出用可動体よりも後方側で移動可能な第２演出用可動体と、を備え、
前記第２演出用可動体には、前方に向けて発光可能な発光部が設けられ、
前記第１演出用可動体が前記表示手段の前面側に出現し、続いて前記第２演出用可動体が、前記表示手段の前面側に出現した前記第１演出用可動体の後方に重なるように移動して前記発光部が前記第１演出用可動体の内部を通して遊技者が視認可能に発光するときと、前記第１演出用可動体が前記表示手段の前面側に出現し、続いて前記第２演出用可動体が、前記表示手段の前面側に出現した前記第１演出用可動体の後方に重なるように移動しないときとがあることを特徴とする。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
第二領域側を流下する遊技球のほうが、第一領域側を流下する遊技球よりも、入球が容易となる位置に配置されている、遊技球が入球可能な入球口と、
遊技の進行を制御する主遊技部と、
情報を表示可能な情報表示部と、
情報表示部への情報表示を制御する副遊技部と
を備え、
主遊技部は、
遊技の状態に基づき、第一領域側と第二領域側とのどちらに遊技球を発射するべきかに関わる情報である主遊技推奨発射情報を生成可能であり、
主遊技推奨発射情報として、第一領域側に遊技球を発射するべきかに関わる情報である第一主遊技推奨発射情報と、第二領域側に遊技球を発射するべきかに関わる情報である第二主遊技推奨発射情報と、を少なくとも有しており、
生成した主遊技推奨発射情報と遊技の状態に関する情報とを副遊技部側へ送信する遊技情報送信手段と
を備え、
副遊技部は、
主遊技部側から送信された主遊技推奨発射情報と遊技の状態に関する情報とを受信する遊技情報受信手段と、
主遊技部から受信した遊技の状態に関する情報に基づき、第一領域側と第二領域側とのどちらに遊技球を発射するべきかに関わる情報である副遊技推奨発射情報を生成して記憶可能であり、
副遊技推奨発射情報として、第一領域側に遊技球を発射するべきかに関わる情報である第一副遊技推奨発射情報と、第二領域側に遊技球を発射するべきかに関わる情報である第二副遊技推奨発射情報と、を少なくとも有しており、
遊技球を第一領域側に向けて発射するよう報知可能な遊技情報である第一報知画像と遊技球を第二領域側に向けて発射するよう報知可能な遊技情報である第二報知画像とを情報表示部にて表示可能に構成されており、
前記副遊技推奨発射情報として、第一副遊技推奨発射情報が記憶されている状況下において、主遊技部より第二領域に遊技球を発射している旨を検知した場合において第一領域側に向けて遊技球を発射すべき旨を報知する注意喚起報知演出を実行可能であり、
前記注意喚起報知演出は、少なくとも音声による注意喚起と画像表示による注意喚起とを含み、前記注意喚起報知演出の開始時点では音声および画像表示の双方による注意喚起を行う一方で、前記注意喚起報知演出の開始後の所定タイミングの後には、少なくとも音声または画像表示のいずれか一方の注意喚起を終了させることを特徴とするぱちんこ遊技機。
【手続補正２】
【補正対象書類名】明細書
【補正対象項目名】０００６
【補正方法】変更
【補正の内容】
【０００６】
本態様によるぱちんこ遊技機は、第二領域側を流下する遊技球のほうが、第一領域側を流下する遊技球よりも、入球が容易となる位置に配置されている、遊技球が入球可能な入球口と、遊技の進行を制御する主遊技部と、情報を表示可能な情報表示部と、情報表示部への情報表示を制御する副遊技部とを備え、主遊技部は、遊技の状態に基づき、第一領域側と第二領域側とのどちらに遊技球を発射するべきかに関わる情報である主遊技推奨発射情報を生成可能であり、主遊技推奨発射情報として、第一領域側に遊技球を発射するべきかに関わる情報である第一主遊技推奨発射情報と、第二領域側に遊技球を発射するべきかに関わる情報である第二主遊技推奨発射情報と、を少なくとも有しており、生成した主遊技推奨発射情報と遊技の状態に関する情報とを副遊技部側へ送信する遊技情報送信手段と
を備え、副遊技部は、主遊技部側から送信された主遊技推奨発射情報と遊技の状態に関する情報とを受信する遊技情報受信手段と、主遊技部から受信した遊技の状態に関する情報に基づき、第一領域側と第二領域側とのどちらに遊技球を発射するべきかに関わる情報である副遊技推奨発射情報を生成して記憶可能であり、
副遊技推奨発射情報として、第一領域側に遊技球を発射するべきかに関わる情報である第一副遊技推奨発射情報と、第二領域側に遊技球を発射するべきかに関わる情報である第二副遊技推奨発射情報と、を少なくとも有しており、遊技球を第一領域側に向けて発射するよう報知可能な遊技情報である第一報知画像と遊技球を第二領域側に向けて発射するよう報知可能な遊技情報である第二報知画像とを情報表示部にて表示可能に構成されており、副遊技推奨発射情報として、第一副遊技推奨発射情報が記憶されている状況下において、主遊技部より第二領域に遊技球を発射している旨を検知した場合において第一領域側に向けて遊技球を発射すべき旨を報知する注意喚起報知演出を実行可能であり、注意喚起報知演出は、少なくとも音声による注意喚起と画像表示による注意喚起とを含み、注意喚起報知演出の開始時点では音声および画像表示の双方による注意喚起を行う一方で、注意喚起報知演出の開始後の所定タイミングの後には、少なくとも音声または画像表示のいずれか一方の注意喚起を終了させることを特徴とするぱちんこ遊技機である。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
演出出力玩具であって、
玩具本体と、日用品を模した部分を有する少なくとも１個の遊戯用具とを備え、
前記玩具本体は、前記遊戯用具を着脱可能に装着可能な装着部と、前記装着部に装着された前記遊戯用具に応じた演出を出力可能な演出出力部とを有し、前記玩具本体、及び前記装着部に装着された前記遊戯用具は、一体となって使用可能な１つの物品を構成すると共に、前記玩具本体は、前記１つの物品を構成した状態において、把持部分を構成し、
前記装着部に装着された前記遊戯用具は、前記把持部分を把持した状態で前記日用品を模した玩具として使用可能である、演出出力玩具。
【請求項２】
前記遊戯用具は、複数種類用意され、前記装着部に個別に装着可能である、
請求項１に記載の演出出力玩具。
【請求項３】
前記演出は、前記装着部に装着された前記遊戯用具の使用方法を伝える音声を含む、
請求項１または２に記載の演出出力玩具。
【請求項４】
前記演出出力部は、前記装着部への前記遊戯用具の装着を検出する装着検出部を有する、
請求項１〜３のいずれか１項に記載の演出出力玩具。
【請求項５】
前記演出出力部は、前記装着部に装着された前記遊戯用具に設定された時間に応じて前記演出を出力できるように構成されている、
請求項１〜４のいずれか１項に記載の演出出力玩具。
【請求項６】
前記演出出力部は、前記装着部に装着された前記遊戯用具に設定された時間に応じて前記演出を繰り返し出力できるように構成されている、
請求項１〜５のいずれか１項に記載の演出出力玩具。
【請求項７】
前記演出出力部は、前記遊戯用具が前記装着部から取り外されたときに第２の演出を出力できるように構成されている、
請求項１〜６のいずれか１項に記載の演出出力玩具。
【請求項８】
前記玩具本体は操作部をさらに有し、
前記演出出力部は、前記遊戯用具が前記装着部に装着されていない状態において、前記操作部への操作を条件として第３の演出を出力できるように構成されている、
請求項１〜７のいずれか１項に記載の演出出力玩具。
【請求項９】
前記演出出力部は、前記遊戯用具が前記装着部に装着されている状態において、前記操作部への操作を条件として第４の演出を出力できるように構成されている、
請求項８に記載の演出出力玩具。
【請求項１０】
前記操作部は、前記玩具本体における前記装着部の配置面とは異なる面に配置されている、
請求項８または９に記載の演出出力玩具。
【請求項１１】
前記玩具本体は、第１本体部と、前記第１本体部に開閉可能に設けられた第２本体部とから成る、
請求項１〜１０のいずれか１項に記載の演出出力玩具。
【請求項１２】
前記装着部は、前記遊戯用具の端部を着脱可能に差し込み可能な凹部から成る、
請求項１〜１１のいずれか１項に記載の演出出力玩具。
【請求項１３】
前記玩具本体は、前記装着部に前記遊戯用具を装着した状態において、当該遊戯用具を直立状態で保持可能である、
請求項１〜１２のいずれか１項に記載の演出出力玩具。
【手続補正２】
【補正対象書類名】明細書
【補正対象項目名】０００６
【補正方法】変更
【補正の内容】
【０００６】
本発明に係る演出出力玩具は、人形及びぬいぐるみを除く玩具本体と、遊戯対象となる人形又はぬいぐるみに対して使用可能な少なくとも１個の遊戯用具とを備え、前記玩具本体は、前記遊戯用具を着脱可能に装着可能な装着部と、前記装着部に装着された前記遊戯用具に応じた演出を出力可能な演出出力部とを有し、前記玩具本体、及び前記装着部に装着された前記遊戯用具は、一体となって前記遊戯対象に対して使用可能な１つの物品を構成すると共に、前記玩具本体は、前記１つの物品を構成した状態において、把持部分を構成し、前記装着部に装着された前記遊戯用具は、前記把持部分を把持した状態において、前記遊戯対象に対して使用可能である。また、本発明に係る演出出力玩具は、玩具本体と、日用品を模した部分を有する少なくとも１個の遊戯用具とを備え、前記玩具本体は、前記遊戯用具を着脱可能に装着可能な装着部と、前記装着部に装着された前記遊戯用具に応じた演出を出力可能な演出出力部とを有し、前記玩具本体、及び前記装着部に装着された前記遊戯用具は、一体となって使用可能な１つの物品を構成すると共に、前記玩具本体は、前記１つの物品を構成した状態において、把持部分を構成し、前記装着部に装着された前記遊戯用具は、前記把持部分を把持した状態で前記日用品を模した玩具として使用可能であることを特徴とする。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサおよびメモリを備える、クライアントのコンピュータおよび該クライアントのコンピュータと連携するサーバのコンピュータの少なくともいずれか一方により実行されるものであり、
前記ゲームプログラムに基づくゲームは、前記クライアントのコンピュータを操作するユーザが制御対象とするオブジェクトによって進行する所定のゲームであり、
前記ゲームプログラムは、前記プロセッサに、
前記ユーザにより前記所定のゲームがプレイされた場合に、前記オブジェクトを取得できる権利データを、前記ユーザのユーザ識別情報に関連付けて前記サーバが備える前記メモリに保存することにより、該ユーザに付与するステップと、
付与された前記権利データに基づいて複数のオブジェクトの中から特定された１以上のオブジェクトを、前記ユーザが制御可能に前記ユーザに関連付けるステップとを実行させ、
前記権利データには、前記所定のゲームを有利に進める上で価値が高いオブジェクトが特定される可能性を表す期待値が設定されており、
前記付与するステップでは、前記所定のゲームのプレイ内容に対する評価結果に基づいて決定された前記期待値が設定されている前記権利データを前記ユーザに付与する、ゲームプログラム。
【手続補正書】
【提出日】令和2年3月17日(2020.3.17)
【手続補正１】
【補正対象書類名】明細書
【補正対象項目名】００２６
【補正方法】変更
【補正の内容】
【００２６】
ステップＳ１０５が開始される（ステップＳ３０１）。微小石灰化領域が検出される（ステップＳ３０２）。乳腺領域が検出される（ステップＳ３０３）。微小石灰化領域の特徴量による重みづけを行う（ステップＳ３０４）。ステップＳ３０４について、図２（ｃ）を用いて説明を行う。ステップＳ４０１にて微小石灰化領域の特徴量による重みづけを開始する。ステップＳ４０２にて微小石灰化領域の拡大を行う。拡大はそのままの微小石灰化領域ではなく、微小石灰化領域の中心から最も遠い同一微小石灰化領域末端部を半径として、球体上に拡大する。ステップＳ４０３では拡大された微小石灰化領域のサイズに任意に指定できるＷを乗算したものと、拡大する前の微小石灰化領域のサイズを比較し、拡大された微小石灰化領域のサイズに任意に指定できるＷを乗算したものが拡大する前の微小石灰化領域のサイズ以上であればステップＳ４０４に進み、それ以外はステップＳ４０５に進む。ステップＳ４０４では拡大する前の微小石灰化領域の情報を登録し保持する。ステップＳ４０５ではステップＳ４０２で拡大した微小石灰化領域を元に戻す。ステップＳ４０６ではステップＳ３０４の処理が終了する。微小石灰化領域の特徴量を求める際には、同一体積の球の表面積と比較する球形度などの方法が用いられる。また特徴量については複数のものを同時に使用してもよい。
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
光の照射により温度の検知を開始する温度インジケータを有する温度表示デバイスの発行装置であって、
前記温度表示デバイスに時間情報を印字する印字記録部と、
前記温度表示デバイスの前記温度インジケータに前記光を照射する照射部と、
前記印字記録部による印字および前記照射部による照射を制御する制御部と、
を備え、
前記温度インジケータは、特定の波長の光が照射されることにより変色するジアリールエテン系フォトクロミック化合物を含む、ことを特徴とする温度表示デバイス発行装置。
【請求項２】
前記照射部が前記温度インジケータに照射する前記光は紫外線である請求項１に記載の温度表示デバイス発光装置。
【請求項３】
前記制御部が前記温度インジケータに前記光を照射する照射時間を計時する計時部、
をさらに備え、
前記印字記録部は、前記計時部から出力された前記照射時間に基づいて、前記温度インジケータによる温度検知の開始時間を前記温度表示デバイスに印字する請求項１または２に記載の温度表示デバイス発行装置。
【請求項４】
前記制御部が前記温度インジケータに前記光を照射する照射時間を含む表示データを外部情報端末から受信する通信部、
をさらに備え、
前記印字記録部は、前記通信部を介して受信した前記表示データに基づいて、前記温度インジケータによる温度検知の開始時間を前記温度表示デバイスに印字する請求項１または２に記載の温度表示デバイス発行装置。
【請求項５】
前記表示データは、前記照射時間とともに印字される商品名情報をさらに含み、
前記印字記録部は、前記通信部を介して受信した前記表示データに基づいて、前記商品名情報を前記温度インジケータによる温度検知の開始時間とともに前記温度表示デバイスに印字する、請求項４に記載の温度表示デバイス発行装置。
【請求項６】
前記制御部は、前記印字記録部が印字した前記商品名情報と前記温度インジケータによる温度検知の開始時間とを対応付けた印字履歴情報を、前記通信部を介して前記外部情報端末に送信する、請求項５に記載の温度表示デバイス発行装置。
【請求項７】
前記照射部は、前記温度表示デバイスの搬送方向における前記印字記録部より下流側に配設されている請求項１ないし６のいずれかに記載の温度表示デバイス発行装置。
【請求項８】
前記照射部は、前記温度表示デバイスの搬送方向における前記印字記録部より上流側に配設されている請求項１ないし６のいずれかに記載の温度表示デバイス発行装置。
【請求項９】
複数の前記温度表示デバイスが長尺状に連なった状態で巻回されたロール紙を回転自在に収容するロール紙収容部、
をさらに備えている請求項１ないし８のいずれかに記載の温度表示デバイス発行装置。
【請求項１０】
前記情報が印刷されるとともに前記光が照射された前記温度表示デバイスを、所望の長さに切断して単票とする切断部、
を備えている請求項９に記載の温度表示デバイス発行装置。
【請求項１１】
前記温度表示デバイスは、加熱により発色する感熱紙領域を有し、
前記印字記録部は、
前記感熱紙領域を加熱するサーマルヘッドと、
前記サーマルヘッドとの間で前記温度表示デバイスを挟持して搬送するプラテンローラと、
を有する請求項１ないし１０のいずれかに記載の温度表示デバイス発行装置。
【手続補正書】
【提出日】令和2年3月6日(2020.3.6)
【手続補正１】
【補正対象書類名】明細書
【補正対象項目名】００３４
【補正方法】変更
【補正の内容】
【００３４】
図１０〜図１２には、コンベヤ(2)の下側搬送経路の前端位置に設けられた取出しセクション(S6)の詳細が示されている。
これらの図に示すように、取出しセクション(S6)には、収容部(40)に豆腐が形成された凝固バケット(4)を上下反転姿勢で複数回揺動させるバケット揺動装置(8)が備えられている。
取出しセクション(S6)では、バケットホルダ(3)に保持された各凝固バケット(4)は、そ開口が下方を向いた上下反転姿勢となり、従って、各凝固バケット(4)に被せられた容器(C)は、その開口を上に向けた状態となる。
バケット揺動装置(8)は、取出しセクション(S6)に停止したバケットホルダ（3）の揺動軸(37)の一端（被把持部(38)）に接続されて揺動軸(37)を所要方向に回動させるサーボモータ(81)を備えている（図１１，１２参照）。なお、図１１，１２では、バケットホルダ(3)の左側の揺動軸(37)およびこれを回動させるサーボモータ(81)が示されているが、同様に、バケットホルダ(3)の右側の揺動軸(37)を回動させるサーボモータ(81)も設けられている。左右２つのサーボモータ(81)は、同期して駆動するように制御されている。
サーボモータ(81)は、その出力軸(811)が左右方向内方を向くように水平に設置されている。出力軸(811)の先端部には、揺動軸(37)先端の被把持部(38)を掴む横断面コ字形の把持部(82)が設けられている。
バケットホルダ(3)が取出しステーション(S6)に到達すると、バケットホルダ(3)の左右の被把持部(38)が、左右のサーボモータ(81)の把持部(82)内に挿入される。この状態でサーボモータ(81)を所定の制御プログラムにより作動させて、バケットホルダ(3)の揺動軸(37)を微小角度で往復回動させる。これにより、バケットホルダ(3)に保持されている複数の凝固バケット(4)が、上下反転姿勢で細かく揺動させられる。凝固バケット(4)の揺動角度、揺動回数、揺動速度（揺動時間）は、豆腐の品質等に応じて、サーボモータ(81)の動作設定を変更することにより、簡単に微調整することが可能である。
図１０に示すように、取出しセクション(S6)の下方には、容器(C)入り豆腐を受け取るためのテーブル(T)が設けられている。
テーブル(T)は、例えばエアシリンダ等の流体圧シリンダによって、コンベヤ(2)の取出しセクション(S6)に近接する上方の受け取り位置と、それよりも下方の待機位置との間を昇降させられるようになっている。
待機位置のテーブル(T)の前後に隣接して、容器(C)入り豆腐を搬出させる搬出用コンベヤ(D)がテーブル(T)と平行に設けられているとともに、例えば流体圧シリンダの前後方向に伸びるピストンロッドの先端部に左右方向に伸びる押圧バーを取り付けてなりかつ待機位置のテーブル(T)上の容器(C)入り豆腐を押し出してコンベヤ(D)上に移送させるプッシャ(P)が設けられている。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ（Ｎは０を除く自然数）段階以下の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはＮ＋α段階（αは２以上の自然数）の区分に属する一または複数の演出要素を新たに前記選択可能要素として設定することが可能な選択可能要素設定手段と、
を備えることを特徴とする遊技機。
【請求項２】
前記選択可能要素設定手段は、前記第二条件が成立したときには、Ｎ＋１段階以上かつＮ＋α段階未満の区分に属する一または複数の演出要素を前記選択可能要素として設定しないことを特徴とする請求項１に記載の遊技機。
【請求項３】
前記第二条件として、通常大当たりとは異なる特定大当たりに当選したことが設定されていることを特徴とする請求項１または請求項２に記載の遊技機。
【請求項４】
前記第二条件が成立したときに前記選択可能要素として新たに設定される演出要素が、当該第二条件成立の契機となった特定大当たり中に出力されることを特徴とする請求項３に記載の遊技機。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
複数段階の区分に区分けされた、複数種の演出要素を記憶する記憶手段と、
前記複数種の演出要素のうちの一部が選択可能要素として示され、当該選択可能要素のうちから出力する演出要素を遊技者が任意に選択可能な選択演出を実行する演出実行手段と、
Ｎ段階以下（Ｎは０を除く自然数である）の区分に属する一または複数の演出要素が前記選択可能要素として設定された以降に、第一条件が成立したときにはＮ＋１段階の区分に属する一または複数の演出要素を新たに前記選択可能要素として設定する一方、前記第一条件とは異なる第二条件が成立したときにはいずれの区分にも属さない特別演出要素を新たに前記選択可能要素として設定する選択可能要素設定手段と、
を備えることを特徴とする遊技機。
【手続補正書】
【提出日】令和2年3月24日(2020.3.24)
【手続補正１】
【補正対象書類名】明細書
【補正対象項目名】００７６
【補正方法】変更
【補正の内容】
【００７６】
また、干渉計算部４１は、３Ｄモデル同士の距離が予め定められた操作許可インターロック閾値より大きい減速インターロック閾値以下となる位置を解析し、治療装置が移動中に減速インターロック閾値以下となる位置に達した時は減速信号を治療装置制御部３Ａに出力する。
特に、重量が大きく減速度を上げることが難しい回転ガントリでは、減速に必要なマージン閾値に達したときにリアルタイム処理で減速させる方法を採用すると、マージン閾値を大きく設定する必要があり、必要以上に減速が発生してしまう。これに対し、本実施形態２によれば、事前の解析で最短距離が減速インターロック閾値以下となった時のみ減速信号を出力するため、治療装置６０と患者６１もしくは治療装置６０同士が接近するときだけ減速処理を行うことが可能となる。このため、治療装置６０の急停止をより確実に防ぐことができ、より安全な治療装置６０の移動を実現することができる。
【手続補正２】
【補正対象書類名】明細書
【補正対象項目名】０１３４
【補正方法】変更
【補正の内容】
【０１３４】
例えば、干渉判定装置４０によって干渉判定を行う移動可能な治療装置６０として、上述の各実施形態では回転ガントリ２０と治療台６２を例示したが、移動可能に構成された治療装置６０はこれらに限定されず、例えば、高エネルギービーム輸送系１３により輸送された荷電粒子ビームを患部６１ａに照射する照射中の治療台６２で患者６１を撮像するインルームＣＴ、治療台６２上の患者６１を中心にＸ線管およびＸ線検出器を回転させるＣアーム、コリメータやボーラスを保持するスノートなどが挙げられる。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
筐体と、
水剤が充填された薬液容器を保持する保持部、および、前記薬液容器から前記水剤を払い出す払出流路を備えた複数の払出部と、
洗浄水を前記払出流路に向けて噴射する洗浄ノズル、および、前記洗浄水を貯留する洗浄水タンク、前記洗浄水タンクから前記洗浄ノズルに至る洗浄流路を備えた洗浄部と、を備え、
前記洗浄部に前記洗浄水を加熱するヒータを備えた水剤分注装置。
【請求項２】
前記ヒータが前記洗浄流路に設けられている請求項１に記載の水剤分注装置。
【請求項３】
前記洗浄水を前記洗浄ノズルに向けて流動させる洗浄水ポンプを備え、
前記洗浄水を噴射したのち前記洗浄流路に残留した前記洗浄水を、前記洗浄水ポンプにより前記ヒータの位置よりも前記洗浄水タンクの側に戻すように構成してある請求項２に記載の水剤分注装置。
【請求項４】
前記洗浄水を前記洗浄ノズルに向けて流動させる洗浄水ポンプを備え、
前記ヒータによる前記洗浄水の加熱が、前記洗浄水ポンプによって前記洗浄水が流動される直前に行われるよう構成してある請求項１または２に記載の水剤分注装置。
【請求項５】
前記洗浄水を前記洗浄ノズルに向けて流動させる洗浄水ポンプを備え、
前記洗浄水ポンプによる前記洗浄水の流動が、前記ヒータが予め設定された温度まで上昇したのち所定時間が経過した後に行われるよう構成してある請求項１または２に記載の水剤分注装置。
【請求項６】
前記洗浄ノズルが鉛直方向に対して傾斜し、前記洗浄水を斜め上方に噴射するように構成されている請求項１から５の何れか一項に記載の水剤分注装置。
【請求項７】
前記払出流路の中間位置に前記払出流路に連通する連通口が設けられ、当該連通口に空気を吹き込む空気噴射部が前記払出流路から離間した位置に設けられている請求項１から６の何れか一項に記載の水剤分注装置。
【請求項８】
前記払出流路の洗浄に使用された前記洗浄水を受け止める洗浄カップを備え、
前記洗浄流路のうち前記ヒータと前記洗浄ノズルとの間の位置から前記洗浄カップに至る分岐流路が設けられている請求項２または３に記載の水剤分注装置。
【請求項９】
前記払出流路の洗浄に使用された前記洗浄水を受け止める洗浄カップを備え、
前記洗浄カップが前記筐体から引き出し可能な引出部に設けられている請求項１から７の何れか一項に記載の水剤分注装置。
【請求項１０】
患者用容器に第１組に係る複数の前記水剤を分注する第１分注を行い、
続けて前記患者用容器に第２組に係る複数の前記水剤を分注する第２分注を行う際に、
前記第１組および前記第２組の双方に含まれる前記水剤について、前記第２分注に先立って行う前記払出流路の洗浄が省略可能である請求項１から９の何れか一項に記載の水剤分注装置。
【請求項１１】
複数の前記払出部の夫々が一つの環状経路に沿って移動可能であり、前記環状経路の下方に前記払出流路から垂下した前記水剤を受け止める環状受部が設けられている請求項１から１０の何れか一項に記載の水剤分注装置。
【手続補正２】
【補正対象書類名】明細書
【補正対象項目名】００１０
【補正方法】変更
【補正の内容】
【００１０】
（特徴構成）
本発明に係る水剤分注装置の特徴構成は、
筐体と、
水剤が充填された薬液容器を保持する保持部、および、前記薬液容器から前記水剤を払い出す払出流路を備えた複数の払出部と、
洗浄水を前記払出流路に向けて噴射する洗浄ノズル、および、前記洗浄水を貯留する洗浄水タンク、前記洗浄水タンクから前記洗浄ノズルに至る洗浄流路を備えた、洗浄部と、を備え、
前記洗浄部に前記洗浄水を加熱するヒータを備えた点にある。
【手続補正３】
【補正対象書類名】明細書
【補正対象項目名】００１４
【補正方法】変更
【補正の内容】
【００１４】
（特徴構成）
本発明に係る水剤分注装置においては、前記洗浄水を前記洗浄ノズルに向けて流動させる洗浄水ポンプを備え、前記洗浄水を噴射したのち前記洗浄流路に残留した前記洗浄水を、前記洗浄水ポンプにより前記ヒータの位置よりも前記洗浄水タンクの側に戻すように構成することができる。
【手続補正４】
【補正対象書類名】明細書
【補正対象項目名】００１６
【補正方法】変更
【補正の内容】
【００１６】
（特徴構成）
本発明に係る水剤分注装置においては、前記洗浄水を前記洗浄ノズルに向けて流動させる洗浄水ポンプを備え、前記ヒータによる前記洗浄水の加熱が、前記洗浄水ポンプによって前記洗浄水が流動される直前に行われるよう構成することができる。
【手続補正５】
【補正対象書類名】明細書
【補正対象項目名】００１８
【補正方法】変更
【補正の内容】
【００１８】
（特徴構成）
本発明に係る水剤分注装置においては、前記洗浄水を前記洗浄ノズルに向けて流動させる洗浄水ポンプを備え、前記洗浄水ポンプによる前記洗浄水の流動が、前記ヒータが予め設定された温度まで上昇したのち所定時間が経過した後に行われるよう構成されるものであっても良い。
【手続補正６】
【補正対象書類名】明細書
【補正対象項目名】００２５
【補正方法】変更
【補正の内容】
【００２５】
（特徴構成）
本発明に係る水剤分注装置においては、前記払出流路の洗浄に使用された前記洗浄水を受け止める洗浄カップを備え、前記洗浄流路のうち前記ヒータと前記洗浄ノズルとの間の位置から前記洗浄カップに至る分岐流路を設けておくことができる。
【手続補正７】
【補正対象書類名】明細書
【補正対象項目名】００２７
【補正方法】変更
【補正の内容】
【００２７】
（特徴構成）
本発明に係る水剤分注装置においては、前記払出流路の洗浄に使用された前記洗浄水を受け止める洗浄カップを備え、前記洗浄カップを前記筐体から引き出し可能な引出部に設けておくことができる。
【手続補正８】
【補正対象書類名】明細書
【補正対象項目名】００２９
【補正方法】変更
【補正の内容】
【００２９】
（特徴構成）
本発明に係る水剤分注装置においては、患者用容器に第１組に係る複数の前記水剤を分注する第１分注を行い、続けて前記患者用容器に第２組に係る複数の前記水剤を分注する第２分注を行う際に、前記第１組および前記第２組の双方に含まれる前記水剤について、前記第２分注に先立って行う前記払出流路の洗浄が省略可能である。
【手続補正９】
【補正対象書類名】明細書
【補正対象項目名】００３０
【補正方法】変更
【補正の内容】
【００３０】
（効果）
払出流路を清浄に維持するには払出流路の清掃は水剤を分注する毎に行うのが好ましい。ただし、複数の患者用容器に続けて分注作業を行うには作業時間を短縮することも必要である。本構成の水剤分注装置では、洗浄水として温水を用いるから、常温の水を用いる場合に比較して高い洗浄効果が期待できる。そこで、連続する第１分注と第２分注とに用いる水剤に共通するものがある場合には、当該水剤に係る払出流路の洗浄を省略できるものとし、分注作業の短縮化を図っている。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
所定の入賞口を開放させる開放遊技を実行可能な遊技機であって、
第１の演出手段と、
第２の演出手段と、
演出を制御可能な演出制御手段と、を備え、
前記演出制御手段は、前記開放遊技が実行された場合、前記第１の演出手段と前記第２の演出手段との両方に、前記開放遊技の実行回数を示す所定の表示を行わせることがあることを特徴とする遊技機。
【請求項２】
請求項１に記載の遊技機であって、
前記第２の演出手段は、当該遊技機の前側を装飾する前枠部に設けられていることを特徴とする遊技機。
【請求項３】
請求項１又は請求項２に記載の遊技機であって、
前記開放遊技には、所定数の遊技球の入賞が可能な第１の開放遊技と、前記第１の開放遊技よりも遊技球の入賞が困難な第２の開放遊技とがあり、
前記第１の演出手段に表示される前記所定の表示も、前記第２の演出手段に表示される前記所定の表示も、前記第１の開放遊技の実行回数を示すことを特徴とする遊技機。
【手続補正２】
【補正対象書類名】明細書
【補正対象項目名】０００５
【補正方法】変更
【補正の内容】
【０００５】
本発明の遊技機は、
所定の入賞口を開放させる開放遊技を実行可能な遊技機であって、
第１の演出手段と、
第２の演出手段と、
演出を制御可能な演出制御手段と、を備え、
前記演出制御手段は、前記開放遊技が実行された場合、前記第１の演出手段と前記第２の演出手段との両方に、前記開放遊技の実行回数を示す所定の表示を行わせることがあることを特徴とする遊技機である。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
遊技者に有利な大当たり遊技を実行するかの判定を行う判定手段と、
演出を制御可能な演出制御手段と、を備え、
前記演出制御手段は、
前記大当たり遊技の実行前に第１態様の演出図柄の組み合わせを表示した場合、当該大当たり遊技後に表示する演出図柄の組み合わせを、前記第１態様の演出図柄の組み合わせとし、
前記大当たり遊技の実行前に前記第１態様とは異なる第２態様の演出図柄の組み合わせを表示した場合、当該大当たり遊技後に表示する演出図柄の組み合わせを、前記第１態様の演出図柄の組み合わせに変更することを特徴とする遊技機。
【請求項２】
請求項１に記載の遊技機であって、
前記第２態様の演出図柄の組み合わせは、数字図柄とは異なる特殊図柄を含む組み合わせであり、
前記第１態様の演出図柄の組み合わせは、前記特殊図柄を含まない組み合わせであることを特徴とする遊技機。
【手続補正２】
【補正対象書類名】明細書
【補正対象項目名】０００６
【補正方法】変更
【補正の内容】
【０００６】
本発明の遊技機は、
遊技者に有利な大当たり遊技を実行するかの判定を行う判定手段と、
演出を制御可能な演出制御手段と、を備え、
前記演出制御手段は、
前記大当たり遊技の実行前に第１態様の演出図柄の組み合わせを表示した場合、当該大当たり遊技後に表示する演出図柄の組み合わせを、前記第１態様の演出図柄の組み合わせとし、
前記大当たり遊技の実行前に前記第１態様とは異なる第２態様の演出図柄の組み合わせを表示した場合、当該大当たり遊技後に表示する演出図柄の組み合わせを、前記第１態様の演出図柄の組み合わせに変更することを特徴とする。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するかの判定を行う判定手段と、
演出を制御可能な演出制御手段と、を備え、
前記演出制御手段は、
複数の演出図柄を変動表示させたあと前記判定の結果を示す組み合わせで停止表示させる変動演出を実行可能であり、
前記変動演出において前記演出図柄を特定の組み合わせで停止表示した後、前記変動演出の画像とは異なる所定の画像を表示して前記演出図柄を非表示とすることがあり、
前記所定の画像を表示して前記演出図柄を非表示にした場合には、再表示させるときの演出図柄の組み合わせを、前記特定の組み合わせとは異なる組み合わせに変更可能であることを特徴とする遊技機。
【請求項２】
請求項１に記載の遊技機であって、
前記特定の組み合わせは、数字図柄とは異なる特殊図柄を含み、
前記特定の組み合わせとは異なる組み合わせは、前記特殊図柄を含まないことを特徴とする遊技機。
【手続補正２】
【補正対象書類名】明細書
【補正対象項目名】０００６
【補正方法】変更
【補正の内容】
【０００６】
本発明の遊技機は、
遊技者に有利な特別遊技を実行するかの判定を行う判定手段と、
演出を制御可能な演出制御手段と、を備え、
前記演出制御手段は、
複数の演出図柄を変動表示させたあと前記判定の結果を示す組み合わせで停止表示させる変動演出を実行可能であり、
前記変動演出において前記演出図柄を特定の組み合わせで停止表示した後、前記変動演出の画像とは異なる所定の画像を表示して前記演出図柄を非表示とすることがあり、
前記所定の画像を表示して前記演出図柄を非表示にした場合には、再表示させるときの演出図柄の組み合わせを、前記特定の組み合わせとは異なる組み合わせに変更可能であることを特徴とする。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
遊技者に有利な大当たり遊技を実行するかの判定を行う判定手段と、
演出を制御可能な演出制御手段と、を備え、
前記大当たり遊技として、第１の大当たり遊技を実行する場合と、前記第１の大当たり遊技とは異なる第２の大当たり遊技を実行する場合とがあり、
前記演出制御手段は、
前記判定の結果を示す変動演出を実行可能であり、
前記第１の大当たり遊技が実行される場合に、前記変動演出において、大当たりに当選したことを報知する大当たり当選表示を行うことと、
前記第２の大当たり遊技が実行される場合に、前記変動演出において、前記大当たり当選表示とは異なる特殊表示を行うこととが可能であり、
前記第１の大当たり遊技が実行された場合でも前記第２の大当たり遊技が実行された場合でも、前記特殊表示とは異なる表示態様で前記変動演出を再開させることを特徴とする遊技機。
【請求項２】
請求項１に記載の遊技機であって、
前記特殊表示は、数字図柄とは異なる特殊図柄を含む出目であることを特徴とする遊技機。
【手続補正２】
【補正対象書類名】明細書
【補正対象項目名】０００６
【補正方法】変更
【補正の内容】
【０００６】
本発明の遊技機は、
遊技者に有利な大当たり遊技を実行するかの判定を行う判定手段と、
演出を制御可能な演出制御手段と、を備え、
前記大当たり遊技として、第１の大当たり遊技を実行する場合と、前記第１の大当たり遊技とは異なる第２の大当たり遊技を実行する場合とがあり、
前記演出制御手段は、
前記判定の結果を示す変動演出を実行可能であり、
前記第１の大当たり遊技が実行される場合に、前記変動演出において、大当たりに当選したことを報知する大当たり当選表示を行うことと、
前記第２の大当たり遊技が実行される場合に、前記変動演出において、前記大当たり当選表示とは異なる特殊表示を行うこととが可能であり、
前記第１の大当たり遊技が実行された場合でも前記第２の大当たり遊技が実行された場合でも、前記特殊表示とは異なる表示態様で前記変動演出を再開させることを特徴とする。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
術野画像を撮像する撮像装置と、
前記撮像装置を支持し、前記撮像装置の位置を制御する支持アーム装置と、
前記撮像装置または前記支持アーム装置の動作を指示するための指示情報を認識する認識部と、前記撮像装置に関連する識別情報を取得する識別情報取得部と、前記指示情報及び前記識別情報に基づいて前記撮像装置または前記支持アーム装置の動作を制御するための制御情報を生成する制御情報生成部と、を有する制御装置と、
を備える、手術用システム。
【請求項２】
前記制御情報は、前記識別情報に応じて前記指示情報を変換することで生成される、請求項１に記載の手術用システム。
【請求項３】
前記識別情報は、前記撮像装置の種類を表す情報である、請求項１又は２に記載の手術用システム。
【請求項４】
前記識別情報は、前記撮像装置が適用される診療科を表す情報である、請求項１又は２に記載の手術用システム。
【請求項５】
前記制御装置は、前記診療科に応じて異なる制御情報を生成する、請求項４に記載の手術用システム。
【請求項６】
前記識別情報に基づいて、前記支持アーム装置の動作範囲を規定する前記制御情報が生成される、請求項４又は５に記載の手術用システム。
【請求項７】
前記制御情報は、前記支持アーム装置を制御するための第１の制御情報と前記撮像装置を制御するための第２の制御情報とを含む、請求項１〜６のいずれか１項に記載の手術用システム。
【請求項８】
前記撮像装置はビデオ顕微鏡又はビデオ内視鏡である、請求項１〜７のいずれか１項に記載の手術用システム。
【請求項９】
前記指示情報は、前記撮像装置の前記動作として、ズーム、ムーブ、ピボット及びパン・チルト・ロールのいずれかの動作を指示するための情報である、請求項１〜８のいずれか１項に記載の手術用システム。
【請求項１０】
前記識別情報を記憶する記憶部を備える、請求項１〜９のいずれか１項に記載の手術用システム。
【請求項１１】
前記指示情報は、前記撮像装置により撮像されディスプレイに表示される前記術野画像に基づいて指示される情報である、請求項１〜１０のいずれか１項に記載の手術用システム。
【請求項１２】
前記指示情報は、非接触の入力によって与えられる情報である、請求項１〜１１のいずれか１項に記載の手術用システム。
【請求項１３】
撮像装置の位置を制御する支持アーム装置に支持されて術野画像を撮像する前記撮像装置または前記支持アーム装置の動作を指示するための指示情報を認識することと、
前記撮像装置に関連する識別情報を取得することと、
前記指示情報及び前記識別情報に基づいて、前記撮像装置または前記支持アーム装置の動作を制御するための制御情報を生成することと、
を備える、手術用システムの制御方法。
【請求項１４】
撮像装置の位置を制御する支持アーム装置に支持されて術野画像を撮像する前記撮像装置または前記支持アーム装置の動作を指示するための指示情報を認識する認識部と、
前記撮像装置に関連する識別情報を取得する識別情報取得部と、
前記指示情報及び前記識別情報に基づいて、前記撮像装置または前記支持アーム装置の動作を制御するための制御情報を生成する制御情報生成部と、
を備える、手術用システムの制御装置。
【手続補正２】
【補正対象書類名】明細書
【補正対象項目名】発明の名称
【補正方法】変更
【補正の内容】
【発明の名称】手術用システム、手術用システムの制御方法及び手術用システムの制御装置